(57)【要約】【課題】ドライバ等の工具を用いることなく、着脱による固定具本体又は部材へのストレスを低減することができるとともに、固定する間隔にあわせて固定具の長さを調整することができる固定具を提供する。【解決手段】少なくとも両端部近傍に雄ねじ２１が形成された支持部２と、円筒形状の側周部３１１を備えた本体部３１と、支持部２１が着脱可能に接続する円柱状の接続部３２と、接続部３２に一体突設されたフランジ部３２１と、側周部３１１に形成された一対の貫通孔３１２と、貫通孔３１２を介して取り付けられる係合部材３３とを具備する固定部３とを有する固定具１【選択図】図３
2007263308.tif 000002
【特許請求の範囲】
【請求項１】
円柱形状の非導電性支持部と、前記支持部の両端部に配置された非導電性固定部とを有し、前記各固定部にて部材を固定することにより、前記各固定部に固定される部材が一定の間隔に保持される固定具であって、
前記支持部の少なくとも両端部近傍には雄ねじ形成されており、
前記固定部は、円筒形状の側周部を備えた本体部と、前記側周部の端部に一体形成され前記支持部が着脱可能に接続する円柱状の接続部と、前記接続部の外周部から一体突設されたフランジ部と、前記側周部に中心を挟んで対向して形成された一対の貫通孔と、前記貫通孔を介して前記本体部に取り付けられる係合部材とを有し、
前記係合部材は前記貫通孔から外部に向けて突出し前記側周部の先端部側から前記支持部との接続部側に向けて広がる形状を有する一対の拡開部と、前記一対の拡開部それぞれの前記先端部と一体的に連結する連結部と、前記一対の拡開部の接続部側端部近傍と接続するコイルばねとを備え、
前記一対の拡開部の前記先端部側の端部は前記本体部に完全に隠れる形状であるとともに、前記接続部側端部は少なくとも一部が前記本体部に隠れる形状を有しており、
前記連結部には前記先端部側に突出し前記側周部内周面と当接する凸部が２個形成されており、
前記接続部は前記支持部よりも大径に形成されており該接続部の中央には該支持部が挿入される凹孔が形成されており、前記凹孔の内周面には前記支持部の雄ねじと螺合する雌ねじが形成されていることを特徴とする固定具。
【請求項２】
円柱形状の非導電性支持部と、前記支持部の両端部に配置された非導電性固定部とを有し、前記各固定部に部材を固定することにより、前記各固定部に固定される部材が一定の間隔に保持される固定具であって、
前記固定部は、前記支持部と着脱可能に接続する円柱状の接続部を有し、
前記接続部は前記支持部よりも大径に形成されており、該接続部の中央には該支持部と係合する凹孔が形成されていることを特徴とする固定具。
【請求項３】
前記固定部は前記接続部と一体形成され円筒形状の側周部を備えた本体部と、前記接続部の外周面より一体突設されたフランジ部とを有し、
前記接続部端部から前記フランジ部の前記支持部と反対側の面までの軸方向長さは前記凹孔の深さと同じであることを特徴とする請求項２に記載の固定具。
【請求項４】
前記支持部の少なくとも両端部近傍には雄ねじが形成されており、前記固定部の凹孔の内周面には前記雄ねじと螺合可能な形状の雌ねじが形成されていることを特徴とする請求項２又は請求項３に記載の固定具。
【請求項５】
前記支持部が長さによって予め決められた色で着色されていることを特徴とする請求項２から請求項４のいずれかに記載の固定具。
【請求項６】
前記支持部の側周面には所定の長さごとに目盛りが形成されていることを特徴とする請求項２から請求項５のいずれかに記載の固定具。
【発明の詳細な説明】
【技術分野】
【０００１】
本発明は、例えばプリント配線基板とシャーシ、プリント配線基板と電子部品のような異なる部材同士を一定の間隔をあけた状態で連結固定するための固定具に関するものである。
【背景技術】
【０００２】
従来、２つの部材を所定の間隔をあけた状態で連結するためにスペーサを用いるものが広く採用されている。例えば特開平１１−４０９１４号公報に記載の発明では、多数のＬＥＤランプが実装された表示基板と、この表示基板に実装された各ＬＥＤランプを駆動するための駆動用ドライバーが実装された駆動基板とが、それぞれ個別に製造されて、各基板同士が一定の間隔をあけて平行に連結された基板連結構造が示されている。
【０００３】
駆動基板の各コーナー部には座ぐり孔が設けられており、座ぐり孔に各スペーサの端部に形成された位置決めピン部がそれぞれ挿入されて各スペーサが位置決めされている。各スペーサの上部には雌ねじ部が設けられており、各雌ねじ部に表示基板の各コーナー部に設けられた各貫通孔にねじが挿通され、該ねじがスペーサの雌ねじ部と螺合することで、前記表示基板を前記スペーサに取り付けるものが示されている。
【０００４】
またスペーサの先端に支柱部が形成されており、その支柱部の先端における相互に対向した位置から斜め下方に向かってそれぞれ直線上に延出する係止部が形成されているものも示されている。前記係止部は貫通孔を通過するときは支柱部に沿って閉じるとともに、貫通孔を貫通した後、外に向かって開き、前記表示基板の表面に係止するものである。
【０００５】
【特許文献１】特開平１１−４０９１４号公報
【発明の開示】
【発明が解決しようとする課題】
【０００６】
しかしながら、特開平１１−４０９１４号公報に記載の発明のスペーサを用いる場合、前記固定部の距離にあわせた長さを有するスペーサを用意しなくてはならない。これにより、スペーサの種類が多くなり製造したり、保管しておいたりするのに手間がかかり、コストアップにつながる。
【０００７】
また、前記スペーサとして設計どおりの長さのものを利用する場合においても、部材の反りや、厚みのずれ等が発生したときの調整を行うためには、前記スペーサと該スペーサが固定される部材との間に板状の部材を配置したりしなくてはならず、非常に手間がかかる。また、上述のように間に部材をを挟むものの場合、その配置される部材の分だけ係合が甘くなることがあり、それだけ、固定強度が低下する。
【０００８】
そこで本発明は、ドライバ等の工具を用いることなく、着脱による固定具本体又は部材へのストレスを低減することができるとともに、固定する間隔にあわせて固定具の長さを調整することができる固定具を提供することを目的とする。
【０００９】
また本発明は、支持部の両端と接続する固定部に固定される部材の長さの微小な変化に合わせて調節することができ、それだけ、固定部に固定される部材を安定して固定することができる固定具を提供することを目的とする。
【課題を解決するための手段】
【００１０】
上記目的を達成するために本発明は、円柱形状の非導電性支持部と、前記支持部の両端部に接続された非導電性固定部とを有し、前記各固定部にて部材を固定することにより、前記各固定部に固定される部材が一定の間隔に保持される固定具であって、前記支持部には雄ねじと一定間隔ごとの目盛りとが全長にわたって形成されており、前記固定部は、円筒形状の側周部を備えた本体部と、前記側周部と一体に形成され前記支持部と接続する接続部と、前記側周部の前記支持部との接続部近傍から一体突設されたフランジ部と、前記側周部に中心を挟んで対向して形成された一対の貫通孔と、前記貫通孔を介して前記本体部に取り付けられる係合部材とを有し、前記係合部材は前記貫通孔から外部に向けて突出し前記側周部の先端部側から前記支持部との接続部側に向けて広がる形状を有する一対の拡開部と、前記一対の拡開部それぞれの前記先端部と一体的に連結する連結部と、前記一対の拡開部の接続部側端部近傍と接続するコイルばねとを備え、前記一対の拡開部の前記先端部側の端部は前記本体部に完全に隠れる形状であるとともに、前記接続部側端部は少なくとも一部が前記本体部に隠れる形状を有しており、前記連結部には前記先端部側に突出し前記側周部内周面と当接する凸部が２個形成されており、前記接続部は前記支持部よりも大径に形成されており該接続部の中央には該支持部が挿入される凹孔が形成されており、前記凹孔の内周面には前記支持部の雄ねじと螺合する雌ねじが形成されていることを特徴とする。
【００１１】
この構成によると、前記支持部と前記固定部とが着脱可能であり、前記固定部と長さの異なる支持部とを用意することで、前記固定部にて固定される部材の間隔を調整することが可能である。
【００１２】
また、前記支持部には目盛りが形成されており、該支持部は目盛りにあわせて切断して使用することも可能である。目盛りにあわせて切断することで、メジャー、ノギス等の前記支持部の長さを測る道具を用いなくても、前記支持部の長さを所望の長さにすることができる。
【００１３】
さらに、前記支持部と前記固定部とはねじによる螺合で接続されるものであり、前記固定部同士の長さの微調整が可能である。これにより、製造誤差や組立誤差が発生している部材を固定する場合でも、前記支持部を取り替えることなく誤差に合わせることができる。
【００１４】
また、前記支持部又は前記固定部のいずれかが破損した場合であっても、破損した部材を取り替えることで、固定具として再利用することが可能であり、それだけ、無駄を抑えることができる。
【００１５】
上記目的を達成するために本発明は、円柱形状の非導電性支持部と、前記支持部の両端部に配置された非導電性固定部とを有し、前記各固定部に部材を固定することにより、前記各固定部に固定される部材が一定の間隔に保持される固定具であって、前記固定部は、前記支持部と着脱可能に接続する円柱状の接続部を有し、前記接続部は前記支持部よりも大径に形成されており、該接続部の中央には該支持部と係合する凹孔が形成されていることを特徴とする。
【００１６】
この構成によると、前記支持部と前記固定部とが着脱可能であり、前記固定部と長さの異なる支持部とを接続固定することで、前記固定部にて固定される部材の間隔を調整することが可能である。
【００１７】
また、前記支持部又は前記固定部のいずれかが破損した場合であっても、破損した部材を取り替えることで、固定具として再利用することが可能であり、それだけ、無駄を抑えることができる。
【００１８】
上記構成において、前記固定部は前記接続部と一体形成され円筒形状の側周部を備えた本体部と、前記接続部の外周面より一体突設されたフランジ部とを有し、前記接続部端部から前記フランジ部の前記支持部と反対側の面までの軸方向長さが前記凹孔の深さと同じになるように形成されていてもよい。
【００１９】
この構成によると、固定部で部材を固定するときの設置長さの基準が前記フランジ部の前記支持部と反対側の面あるので、凹孔の底部とフランジ部の支持部と反対側の面とが同一の面になるように形成されており、前記支持部を前記固定される部材の設置間隔と同じ長さのものを用いることができる。
【００２０】
これにより、前記支持部の長さを決定するときに、前記フランジ部と前記凹孔の底部とのズレによる差を考慮しなくても良くなるので、それだけ、前記支持部の長さを容易に決定することが可能である。
【００２１】
上記構成において、前記支持部の側周面の少なくとも両端部近傍には雄ねじが形成されており、前記固定部の凹孔の内周面には前記雄ねじと螺合可能な形状の雌ねじが形成されているものであってもよい。
【００２２】
前記支持部の全長に、ねじの谷（切欠き）が形成されていないので、同じ径の支持部であっても、高い強度を有する。また、両端部には雄ねじが形成されているので、接続固定も容易である。
【００２３】
上記構成において、前記支持部が長さによって予め決められた色で着色されているものであってもよい。
【００２４】
着色されていることで、必要な長さの前記支持部を容易に判別することができるので、それだけ、作業効率を上げることができ、製造コストを低減することが可能である。
【００２５】
上記構成において、前記支持部の側周面には所定の長さごとに目盛りが形成されているものであってもよい。
【００２６】
目盛りが形成されていることで、メジャー、ノギス等の長さを測定するための道具を利用しなくても、該支持部を所望の長さに切断することができ、それだけ、作業効率を高めることができる。また、長い１本の支持部を用いて使用するときに、必要な長さに切断して利用することが可能であるので、それだけ、無駄を減らすことができる。
【発明の効果】
【００２７】
本発明によると、ドライバ等の工具を用いることなく、着脱による固定具本体又は部材へのストレスを低減することができるとともに、固定する間隔にあわせて固定具の長さを調整することができる固定具を提供することができる。
【００２８】
また本発明によると、支持部の両端と接続する固定部に固定される部材の長さの微小な変化に合わせて調節することができ、それだけ、固定部に固定される部材を安定して固定することができる固定具を提供することができる。
【発明を実施するための最良の形態】
【００２９】
以下に本発明の実施形態を図面を参照して説明する。図１に本発明にかかる固定具を利用した電子機器の一例であるＨＤＤ付きＤＶＤレコーダの分解斜視図を示す。図１に示すＨＤＤ付きＤＶＤレコーダＡは、少なくともシャーシＣｈと、カバーＣｖと、基板Ｂｐと、ＨＤＤユニットＨｄと、ＤＶＤレコーダユニットＤｒと、フロントパネルＦｐとを備えている。
【００３０】
シャーシＣｈの上面には基板Ｂｐが配置されている。基板ＢｐはシャーシＣｈに対して絶縁された状態で配置されている。基板Ｂｐの上部にはメモリ、マイコン等の電子部品（図示省略）が実装ており、ＨＤＤユニットＨｄは基板Ｂｐに固定されている。また、ＤＶＤレコーダユニットＤｒはシャーシＣｈに固定具１を介して固定されている。ＨＤＤユニットＨｄとＤＶＤレコーダユニットＤｒは基板Ｂｐに実装されたコネクタ（図示省略）と平形ケーブル等の変形自在なケーブルを介して接続されている。
【００３１】
基板Ｂｐ上にＨＤＤユニットＨｄ、ＤＶＤユニットＤｒ及び電子部品を配置した状態で、シャーシＣｈの上部よりカバーＣｖを取り付ける。カバーＣｖはシャーシＣｈの上部に係合し、ボルトＢｔを利用して、側面をシャーシＣｈに固定される。
【００３２】
カバーＣｖがシャーシＣｈに固定された後に、シャーシＣｈのフロント側よりフロントパネルＦｐが係合される。フロントパネルｆｐには開閉可能なドアＦｐ１が形成されており、ドアＦｐ１を通じて、ＤＶＤユニットＤｒに備えられる光ディスクを配置するためのディスクトレイ（図示省略）が出入りすることで光ディスクを挿入（ローディング）又は排出（アンローディング）する。
【００３３】
ディスクトレイは水平方向に往復摺動するものであり、ディスクトレイがフロントパネルＦｐのドアＦｐ１を円滑に出入りすることができるように、ＤＶＤレコーダユニットＤｒは固定具１にて高さが調整されて固定されている。
【００３４】
図２に本発明にかかる固定具の一例の斜視図を、図３に図２に示す固定具の支持部と固定部を分離した状態の側面図を示す。図２に示すように固定具１は、支持部２と、支持部２の両端部に配置された固定部３とを有している。図２に示すように、固定部３は支持部２に対して着脱可能である。
【００３５】
支持部２は円柱状に形成されており、全長にわたって雄ねじ２１が形成されている。雄ねじ２１は後述する接続部３２の凹孔３２２に形成される雌ねじ３２３と螺合することができるものである。
【００３６】
固定部３は、円筒形状の本体部３１と、本体部３１の端部に一体形成される接続部３２とを有している。本体部３１は、有底円筒形状の側周部３１１と、側周部３１１に形成された貫通孔３１２とを有している。貫通孔３１２は固定部３の中心軸Ｓをはさんで対称の位置に形成されており、中心軸Ｓと平行に伸びる矩形状を有している。本体部３１の内部には係合部材３３が配置されており、貫通孔３１２からは、係合部材３３の後述する拡開部３３１が突出している。
【００３７】
接続部３２は図２、図３に示すように円柱状であり、本体部３１と一体に連結している。接続部３２の外径Ｒ（ここでは、本体部３１も同一の外径を有しているが、それに限定されるものではない）は支持部２の外径ｒよりも大きく形成されている。接続部３２の外周面には一体に突設されるフランジ部３２１と、接続部３２の中央に形成された断面円形の凹孔３２２とが備えられている。また、凹孔３２２の内周面は、雌ねじ３２３が形成されている。雌ねじ３２３は支持部２の雄ねじ２１と螺合することが可能な形状で形成されている。
【００３８】
凹孔３２２に支持部２の端部を挿入し、雌ねじ３２３と雄ねじ２１を螺合することで、固定部３と支持部２は係合される。支持部２の長さを正確に形成しておき、支持部２の端部を凹孔３２２の最奥部に形成された底面に到達するまで挿入することで、固定部３と支持部２とをより強固に接続することが可能である。接続部３２は、支持部２を挿入し固定することができる凹孔３２２を形成するために、十分な厚みを有するものを用いることが好ましい。
【００３９】
係合部材３３は軸Ｓに対して線対称の板状部材である。係合部材３３は少なくとも一対の拡開部３３１と、連結部３３２と、切欠部３３３と、ばね３３４（ここでは、コイルばね３３４）と、一対の凸部３３５とを有している。係合部材３３の一方の端部（以下先端部３３ｔという）の長さは本体部３１の直径と略同じであり、他方の端部（以下後端部３３ｂという）側の両端の長さ（一対の拡開部３３１の最も離れた部分の長さ）は本体部３１の直径よりも長く形成されている。
【００４０】
一対の拡開部３３１は先端部３３ｔ側端部（先端部３３１ｔ）から、後端部３３ｂ側端部（後端部３３１ｂ）に向けて互いに離れる方向に広がるように形成されている。拡開部３３１の後端部３３１ｂは軸Ｓに対して直交している。連結部３３２は一対の拡開部３３１それぞれと先端部３３１ｔで一体に連結している。切欠部３３３は係合部材３３の後端部３３ｂに形成されるものであり、一対の拡開部３３１及び連結部３３２で囲まれた部分である。
【００４１】
コイルばね３３４は切欠部３３３に配置されるものであり、拡開部３３１が後述するように回動するときに、その回動に抗して力を付勢するものである。凸部３３５は、係合部材３３の先端部３３ｔより、後端部３３ｂと反対側に突設されるものである。一対の拡開部３３１の先端部３３１ｔ及び後端部３３１ｂは貫通孔３１２の壁面と当接し、一対の凸部３３５は周側部３１１の内周面と当接している。
【００４２】
一対の拡開部３３１に中心軸Ｓに向かう力が付加されると、一対の拡開部３３１はコイルばね３３４の抗力を受けつつ、貫通孔３１２に向けて移動する。この動作を詳しく説明すると、一対の拡開部３３１が移動するときに、拡開部３３１を連結している連結部３３２が撓む。拡開部３３１は凸部３３６と側周部３１１との接触部を支点に本体部３１の内部に向かって回動する。このとき、係合部材３３は軸Ｓに対して、略線対称の状態を維持して、一対の拡開部３３１が回動する。一対の拡開部３３１を更に回動させると、一対の拡開部３３１は、本体部３１の内部に完全に格納される。
【００４３】
このように、一対の拡開部３３１が回動するときに連結部３３２はたわむので、連結部３３２として一対の拡開部３３１を連結することができ、撓みやすいとともに破損しにくいものが好ましい。
【００４４】
固定具１の支持部２及びコイルばね３３４を除く固定部３は、それには限定されないがここでは、樹脂等の導電性を有しない素材を加工することで形成されるものである。また、コイルばね３３４は本体部３１の側周部３１１が破損しない限り外部に露出しないように取り付けられている。
【００４５】
このように導電性を有しない素材を加工することで形成され、導電性を有する部材（ここではコイルばね３３４）が内部に格納されるものの場合、電気回路や電子部品の端子が露出している部材（例えば、電子部品が実装された基板等）の導電部と接触しても、短絡させる恐れが少なく、短絡による不具合の発生を抑制することが可能である。
【００４６】
係合部材３３は線対称の板状部材であり、一方の端部（以下先端部３３ｔという）から他方の端部（以下後端部３３ｂという）に向けて外部に均等に広がるように配置された一対の拡開部３３１を有している。拡開部３３１は弾性部材であるばね３３４にて外向きに付勢されており、に本体部３１の半径方向を中心に向かう力が付与されると、一対の拡開部３３１は本体部３１の内部に向かって移動し、最も移動したときには、一対の拡開部３３１は同時に本体部３１の内部に格納される。
【００４７】
図４（Ａ）〜（Ｄ）に本発明にかかる固定具を利用して、異なる部材を一定の距離を開けて固定する手順を示す。図４に示す図は、第１部材４（例えば図１に示すＨＤＤ付きＤＶＤレコーダＡの場合のシャーシＣｈ）と第２部材５（例えば図１に示すＨＤＤ付きＤＶＤレコーダＡの場合のＤＶＤレコーダユニットＤｒ）を一定の間隔Ｌ（図４（Ｄ）参照）をあけて取り付け固定するものである。
【００４８】
まず、支持部２の長さを調整する。それには限定されないがここでは、予め決められた複数の長さの支持部２を複数個用意しておき、その中から設置間隔Ｌに対応した長さの支持部２を選択する。このとき、予め用意されている支持部２は長さによって、予め決められている色で着色されていても良い。また、固定部３も本体部３１の外径に応じて、予め決められている色で着色されていても良い。
【００４９】
選択された支持部２の先端を固定部３の接続部３２に形成された凹孔３２２に挿入し、支持部２の雄ねじ２１を凹孔３２２の雌ねじ３２３と螺合させて、支持部２と固定部３とを接続する。支持部２の両端の雄ねじ２１と凹孔３２２の雌ねじ３２３を螺合させて、支持部２の両端に固定部３を接続固定する（図４（Ａ）参照）。
【００５０】
そして、組み立てられた固定具１の一方の固定部３の本体部３１を第１部材４に形成された貫通孔４１に挿入する。本体部３１がある程度貫通孔４１に挿入されると、拡開部３３１の先端部３３１ｔが本体部３１の外周面と略一致するように形成されているため、拡開部３３１の先端部３３１ｔは貫通孔４１に進入する。
【００５１】
本体部３１をさらに奥に進入させると、拡開部３３１は先端部３３１ｔより後端部３３１ｂにかけて広がる形状を有しているので、拡開部３３１は貫通孔４１の内周壁４１１に押され、本体部３１の内部に格納される（図４（Ｂ）参照）。本体部３１を更に奥に進入させ、フランジ部３２と第１部材４とを当接させる。このとき、拡開部３１１は貫通孔４を完全に貫通し内周壁４１と非接触状態になる。内周壁４１より拡開部３３１に付加されていた本体部３１の内部に向かって押える力が取り除かれ、拡開部３３１は挿入される前の位置まで戻る（図４（Ｃ）参照）。
【００５２】
図４（Ｃ）に示すように、拡開部３３１の後端部３３１ｂは第１部材４と当接し、フランジ部３２とで第１部材４を挟み、固定部３の貫通孔４１からの抜け止め部材として作用する。拡開部３３１の後端部３３１ｂは中心軸Ｓに対して直交して配置されるので、固定具１に対し引き抜く方向に力を付勢されても一対の拡開部３３１の一部（後端部３３１ｂ）が貫通孔４１に進入しないので、第１部材４と固定具１の係合状態を保つことが可能である。
【００５３】
同様にして、第１部材４に固定具１を複数個（例えば図１に示すＨＤＤ付きＤＶＤレコーダＡの場合、計４個）取り付けた状態で、第２部材５に形成された貫通孔５１に固定具１の他方の固定部３を貫通させる（図４（Ｄ）参照）。貫通孔５１に固定部３を貫通させる方法は、第１部材４の貫通孔４１に固定部３を貫通させる方法と同じであるので、ここでは省略する。
【００５４】
このように、支持部２と固定部３とが互いに着脱可能な部材で構成されているものであると、固定部３は共用することができるので、それだけ、無駄を減らすことが可能である。また、１つの装置（例えば図１に示すようなＨＤＤ付きＤＶＤレコーダＡ）において、複数の長さの固定具１が必要な場合（例えばＤＶＤレコーダユニットＤｒとシャーシＣｈの設置間隔がＬで、基板ＢｐとシャーシＣｈの設置間隔がＬ２の場合）であっても、支持部２を取り替えることで、各設置間隔に対応した固定具１を用意することができる。また、支持部２又は固定部３のいずれか一方が破損した場合であっても、その破損した部材を取り替えるだけでよく、それだけ、無駄が発生するのを防ぐことができる。
【００５５】
支持部２と固定部３とは、雄ねじ２１と雌ねじ３２３とを螺合させることで接続されるものであり、雄ねじ２１と雌ねじ３２３が十分に係合できている範囲で固定部３を回動させることで、支持部２の両端に接続された２個の固定部３のフランジ部３２１間の長さの微調整を行うことが可能である。
【００５６】
図５に本発明にかかる固定具の他の例の側面図を示す。図５に示す固定具１Ｂは、接続部３２Ｂが異なる以外は図２に示す固定具１と同じ構成を有するものであり、実質上同一の部分には同一の符号が付してある。
【００５７】
図５に示すように、接続部３２Ｂのフランジ部３２１の本体部３１側の面（非固定部材との当接面３２１１）は、凹孔３２２の底面３２２１と同じ平面上に形成されている。このことにフランジ部３２１と凹孔３２２を形成することで、固定具１Ｂにて固定される部材（第１部材４及び第２部材５）の設置間隔Ｌ（換言すると、支持部２の両端部に連結された固定部３Ｂのフランジ部３２１の当接面３２１１同士の距離Ｌ）が凹孔３２２の底面３２２１間の距離と略等しくなる。
【００５８】
これにより、支持部２の長さを決定するときに、フランジ部３２１の当接面３２１１と凹孔３２２の底面３２２１との位置のずれによる、支持部２の長さの調整が不要であり、支持部２の長さを設置間隔Ｌと同じものにできる。
【００５９】
図６に本発明にかかる固定具のさらに他の例の側面図を示す。図６に示す固定具１Ｃは支持部２Ｃが異なる以外は図２に示す固定具１と同じ構成であり、実質上同一の部分には同一の符号が付してある。
【００６０】
図６に示すように、支持部２Ｃは外周面に雄ねじ２１Ｃが形成された円柱部材である。支持部２Ｃは軸方向に一定の長さ間隔で目盛り２２Ｃが付けられている。目盛り２２Ｃをつけることで、メジャーやノギス等の長さを測る道具を用いなくても、固定具１Ｃのフランジ部３２１Ｃの間隔が所定の長さになるように、支持部２Ｃを切断することが可能である。
【００６１】
また、支持部２Ｃは固定する部材の設置間隔にあわせて切断して用いられるものであり、予め異なる長さで形成した複数の支持部を準備しなくてもよく、支持部２Ｃの長さによる使用頻度に差が生じ、無駄なストックが発生するのを抑制することが可能である。
【００６２】
また、図７は図６の変形例の側面図である。図７に示すように、所定の長さごとに、色分けされているものであってもよい。このとき、使用される色は図７に示すように２色（それには限定されないが、ここでは赤２Ｃｒと白２Ｃｗ）で交互に塗り分けられているものであってもよく、それ以上の色を用いるものであってもよい。このとき用いられる色としては、設置場所の周囲の部材の色とは系統の異なる色が好ましい。
【００６３】
図８に本発明にかかる固定具のさらに他の例の側面図を示す。図８に示す固定具１Ｄは支持部２Ｄが異なる以外は図２に示す固定具１と同じ構成であり、実質上同一の部分には同一の符号が付してある。
【００６４】
図８に示すように、支持部２Ｄは両端部２０Ｄに雄ねじ２１Ｄが形成されている。雄ねじ２１Ｄが両端部２０Ｄだけに雄ねじ２１Ｄが形成されているので、それ以外の部分は雄ねじが形成されている状態のときよりも、高い強度を備えている。これにより、固定部３と支持部２Ｄとの接続は十分に強固に行うことができるとともに、支持部２Ｄ自体の強度も上げることができ、それだけ、強度的に有利な固定具とすることが可能である。また、雄ねじ２１Ｄの形成領域が短いので、それだけ、加工を減らすことができる。このことは、加工に必要な手間とコストを削減するとともに、加工によるひずみ等のズレの発生を低減することができる。
【００６５】
図９に本発明にかかる固定具のさらに他の例の側面図を示す。図９示す固定具１Ｅは支持部２Ｅ及び固定部３Ｅの接続部３２Ｅが異なる以外は図２に示す固定具１と同じ構成であり、実質上同一の部分には同一の符号が付してある。図９に示すように、支持部２Ｅは外周面が円滑な円柱形状で、固定部３Ｅの接続部３２Ｅの凹孔３２２Ｅも内周面が円滑なものであり、支持部２Ｅの外周面と、凹孔３２２Ｅの摩擦力で接続固定するものであってもよい。また、図示は省略しているが、凹孔３２２Ｅの内周面に雌ねじを形成しておき、支持部２Ｅの端部を雌ねじを圧壊しながら押し込むことで、固定するものであってもよい。
【００６６】
上記各実施例において、支持部２と固定部３との接続方法として、ねじの螺合又は摩擦力を用いて接続固定するものを例に説明してきたが、それに限定されるものではなく、固定部３の接続部に形成された凹孔に支持部の端部を着脱可能であるとともに、部材を固定するときには抜けたり、ずれたり等の不具合が発生するのを抑制することができる接続方法を広く採用することができる。
【００６７】
以上、発明の実施形態を具体的に説明したが、本発明は上記実施形態に限定するものではなく、その要旨を逸脱しない範囲で種々変更可能である。
【産業上の利用可能性】
【００６８】
本発明の固定具は、異なる２個の部材を一定の間隔をあけて取り付ける場合において適用することができる。
【図面の簡単な説明】
【００６９】
【図１】本発明にかかる固定具を利用した電子機器の一例であるＨＤＤ付きＤＶＤレコーダの分解斜視図である。
【図２】図１に示すスピンドルモータのハウジングの縦断面図である。
【図３】図２に示す固定具の支持部と固定部を分離した状態の側面図である。
【図４】本発明にかかる固定具を利用して、異なる部材を一定の距離を開けて固定する手順を示す図である。
【図５】本発明にかかる固定具の他の例の側面図である。
【図６】本発明にかかる固定具のさらに他の例の側面図である。
【図７】図６に示す固定具の変形例の側面図である。
【図８】本発明にかかる固定具のさらに他の例の側面図である。
【図９】本発明にかかる固定具のさらに他の例の側面図である。
【符号の説明】
【００７０】
１  固定具
２  支持部
２１  雄ねじ
３  固定部
３１  本体部
３１１  側周部
３１２  貫通孔
３２  接続部
３２１  フランジ部
３２２  凹孔
３２３  雌ねじ
３３  係合部材
３３１  一対の拡開部
３３２  連結部
３３３  切欠部
３３４  コイルばね
３３５  一対の凸部
４  第１部材
４１  貫通孔
５  第２部材
５１  貫通孔
Ａ  ＨＤＤ付きＤＶＤレコーダ
Ｃｈ  シャーシ
Ｃｖ  カバー
Ｂｐ  基板
Ｈｄ  ＨＤＤユニット
Ｄｒ  ＤＶＤレコーダユニット
Ｆｐ  フロントパネル
【図１】
2007263308.tif 000003
【図２】
2007263308.tif 000004
【図３】
2007263308.tif 000005
【図４】
2007263308.tif 000006
【図５】
2007263308.tif 000007
【図６】
2007263308.tif 000008
【図７】
2007263308.tif 000009
【図８】
2007263308.tif 000010
【図９】
2007263308.tif 000011